(57)【要約】【課題】使用者が身につけて屋外等で使用した際にも、有効な害虫防除効果が得られる害虫防除装置を提供する。【解決手段】害虫防除装置は、害虫防除成分を保持した薬剤保持体と、前記薬剤保持体に気流を当てるファンＦとがチャンバ内に収納されたものである。チャンバ１１には、チャンバ内に外気を取り入れる吸気口２１と、害虫防除成分を含んだ気流をチャンバ外に放出する排気口１３ａ，１３ｂとが設けられている。排気口１３ａ，１３ｂは、当該害虫防除装置が設置される設置面に沿って害虫防除成分を含んだ気流が放出されるように、配置されている。【選択図】図２
2008043340.tif 000002
【特許請求の範囲】
【請求項１】
害虫防除成分を保持した薬剤保持体と、前記薬剤保持体に気流を当てるファンとがチャンバ内に収納され、前記チャンバには、チャンバ内に外気を取り入れる吸気口と、前記害虫防除成分を含んだ気流をチャンバ外に放出する排気口とが設けられた害虫防除装置において、
当該害虫防除装置が設置される設置面に沿って前記害虫防除成分を含んだ気流が放出されるように、前記排気口が配置されていることを特徴とする害虫防除装置。
【請求項２】
前記設置面が地面に対して略垂直である際に、前記設置面に沿った上方向及び下方向のみに前記害虫防除成分を含んだ気流が放出されるように、前記排気口が配置されていることを特徴とする害虫防除装置。
【請求項３】
当該害虫防除装置を前記設置面に保持するための保持手段を備えたことを特徴とする請求項１又は２に記載の害虫防除装置。
【発明の詳細な説明】
【技術分野】
【０００１】
本発明は害虫防除装置に関し、詳しくは、屋外での使用にも適する害虫防除装置に関する。
【背景技術】
【０００２】
従来、害虫防除装置として、害虫防除成分を保持した薬剤保持体をチャンバ内に支持し、チャンバ内に装備されたファンより生起する気流を前記薬剤保持体に当てて、害虫防除成分をチャンバ外に揮散させるものがある。ファンは、チャンバ内における吸気口と排気口との間に配置され、モータ等によって駆動される。
【０００３】
害虫防除装置は、通常、室内に設置されて、チャンバに備えられたスイッチをオンされることで作動する。そして、室内の雰囲気中に害虫防除成分を揮散する。害虫防除装置の供給電源には、商用電源や電池等が用いられる。
【発明の開示】
【発明が解決しようとする課題】
【０００４】
従来の害虫防除装置は、主に屋内での使用を想定したものであったが、ベルト等を介して使用者の身につけて使用でき、屋外や広い室内での使用にも適する害虫防除装置の開発が望まれている。しかし、害虫防除装置を屋外等で使用した場合、狭い室内の雰囲気中に害虫防除成分を揮散する場合に比べて、害虫防除効果が低くなってしまうことがある。
【０００５】
本発明は前記課題に鑑みてなされたものであって、その目的は、携帯して用いるのに好適であって、使用者が身につけて屋外等で使用した際にも有効な害虫防除効果が得られる害虫防除装置を提供することにある。
【課題を解決するための手段】
【０００６】
本発明は、害虫防除成分を保持した薬剤保持体と、前記薬剤保持体に気流を当てるファンとがチャンバ内に収納され、前記チャンバには、チャンバ内に外気を取り入れる吸気口と、前記害虫防除成分を含んだ気流をチャンバ外に放出する排気口とが設けられた害虫防除装置において、当該害虫防除装置が設置される設置面に沿って前記害虫防除成分を含んだ気流が放出されるように、前記排気口が配置されていることを特徴としている。
【０００７】
以上のような構成の害虫防除装置は、使用者が身につけた場合、例えば設置面が使用者の胴体表面である場合、害虫防除成分を含んだ気流を使用者の胴体表面に沿って放出する。これにより、使用者の身の回りに有効量の害虫防除成分が漂うことになる。したがって、使用者によってくる害虫に対して有効な害虫防除効果が得られ、屋外等で使用した際にもこの害虫防除効果は維持される。なお、害虫防除効果とは、殺虫、忌避等の作用効果を意味し、使用者を害虫の被害から守る効果をいう。
【０００８】
また、本発明者は鋭意検討の結果、前記害虫防除装置において、設置面が地面に対して略垂直である際に、その設置面に沿った上方向及び下方向のみに前記気流が放出されるように排気口を配置することで、害虫防除効果を効率的にすることができて、薬剤保持体の使用期間を延ばせることを見出した。その結果、この構成によれば、薬剤保持体の取替え頻度を減らすことができる。
【０００９】
なお、本明細書においていう「設置面に沿って気流を放出する」には、設置面の害虫防除装置設置箇所における接線に対して、−６０°〜＋６０°の範囲内に気流を放出するという意味を含むものとする。例えば、気流放出方向を−６０°として設置面に気流が当たるようにすれば、設置面の気流が当たる箇所に集中的に害虫防除成分を含んだ気流を漂わせることができる。また、気流放出方向を＋６０°として設置面から気流が若干離れるようにすれば、使用者の顔等に害虫防除成分を含んだ気流が当たることを防止したりできる。害虫防除装置は、設置面に対して−６０°〜＋６０°の範囲の様々な方向に害虫防除成分を含んだ気流を放出できるものでもよい。
【００１０】
また本発明は、当該害虫防除装置を設置面に保持するための保持手段を備えていることが好ましい。保持手段の形態は限定されないが、例えばクリップ状のものや、ひも状のものを採用できる。
【発明の効果】
【００１１】
本発明の害虫防除装置によれば、使用者が身につけて屋外や広い室内で使用した際にも、有効な害虫防除効果が得られる。
【発明を実施するための最良の形態】
【００１２】
以下、図面に基づいて本発明の実施形態を説明する。図１に、実施形態である害虫防除装置１０を、起立した使用者の身につけた様子を示す。ここでは、害虫防除装置１０が、ベルトＢを介して使用者の身につけられている。害虫防除装置１０は、チャンバ１１と薬剤保持体２０とを備えている。
【００１３】
チャンバ１１は、平板及び当該平板に立設された周壁を有する、表側器体１２ａ、中間器体１２ｂ及び裏側器体１２ｃを組み合せてなる。各平板は、長方形板の一端を半円板状にした形状であって、周壁は、平板の周りに円弧状に延びる円弧部分と、平板の周りに直線状に延びる直線部分とを有している。
【００１４】
表側器体１２ａの周壁には、薬剤保持体を挿入するための挿入開口１５が設けられている。また、表側器体１２ａの平板には、チャンバ１１内に外気を取り入れるための吸気口２１が設けられている。吸気口２１は所定のパターンで配列された複数のスリット２１ａからなっている。図中、上下方向及び左右方向に配列された複数のスリット２１ａによって、吸気口２１は円形開口に複数の桟を架け渡したような形態になっている。
【００１５】
起立した使用者の身につけられた状態におけるチャンバ１１の上部に（ここでは中間器体１２ｂの上部に）、上部排気口１３ａが設けられている。また、起立した使用者の身につけられた状態におけるチャンバ１１の下部に（ここでは中間器体１２ｂの下部に）、下部排気口１３ｂが設けられている。
【００１６】
裏側器体１２ｃの平板には、害虫防除装置１０を設置面（ここでは使用者の胴体表面）に係止する保持手段であるクリップ１９が設けられている。また、裏側器体１２ｃには、電池を出し入れする電池収納室の開口を塞ぐ蓋部材１８が取り付けられている。
【００１７】
薬剤保持体２０は、円環状の枠体２５と、枠体２５の中央に配置された略円板状の中央部２７と、中央部２７から枠体２５に放射状に延びる桟２７ａと、枠体２５、中央部２７及び桟２７ａによって区画される複数の開口に架け渡されたネット状部材２６とを備えている。ネット状部材２６は、外形がほぼ円形であり、その外周縁部を枠体２５に支持されている。枠体２５の内周径は、吸気口２１である桟を設けた円形開口の外径より大きくされている。ネット状部材２６には、害虫防除成分を含む薬剤が保持されている。
【００１８】
薬剤保持体に薬剤を保持させる方法としては、点滴法が適当である。しかし、ネット状部材２６に薬剤を保持させる場合、薬剤をネット状部材２６に直接滴下すると薬剤がネット状部材２６を通過して垂れてしまい、ネット状部材２６に効率よく薬剤を含浸させることができない。そこで、本実施形態では、枠体２５中央の中央部２７の一方の平面（図では裏面）に薬剤を滴下し、中央部２７及び桟２７ａを経てネット状部材２６に薬剤を供給することで、ネット状部材２６に効率よく薬剤を含浸させている。中央部２７の面積は、枠体２５の内周径と同じ外周径を有する円の面積の、４〜７０％であることが好ましく、４〜４０％であることが更に好ましい。本実施形態では、中央部２７の面積が３１４ｍｍ2、枠体２５の内周径と同じ外周径を有する円の面積が１８８６ｍｍ2とされている。
【００１９】
薬剤保持体２０は、図中矢印Ｘで示すように、チャンバ１１の挿入開口１５を介してチャンバ１１内に挿着される。そして、吸気口２１である円形開口の中心を通る平板に垂直な軸と同軸状にチャンバ１１内に備えられたファンと、吸気口２１との間に薬剤保持体２０は配置される。
【００２０】
図２に、害虫防除装置１０の上面図（Ａ）、正面図（Ｂ）、下面図（Ｃ）を示す。図２（Ｂ）に示すように、チャンバ１１の周壁には、チャンバ１１の上面をなす円弧部分１１ａと、チャンバ１１の一対の側面をなす直線部分１１ｂと、チャンバ１１の下面をなす直線部分１１ｃとが含まれる。そして図２（Ａ）に示すように、上部排気口１３ａは、チャンバ１１の周壁の円弧部分１１ａに設けられている。また図２（Ｃ）に示すように、下部排気口１３ｂは、チャンバ１１の周壁の直線部分１１ｃに設けられている。
【００２１】
図２（Ａ）に示すように、上部排気口１３ａは、チャンバ１１の左右方向の中心近傍から開口され、図中右方の側面に至る手前で終端している。上部排気口１３ａのファンＦの回転軸に対する中心角θ（図２（Ｂ）参照）は、ここでは約５０°に設定されている。図２（Ｃ）に示すように、下部排気口１３ｂは、チャンバ１１の左右方向の中心より右側から開口され、図中左方の側面にまで至っている。排気口の開口面積（本実施形態では上部排気口１３ａの開口面積と下部排気口１３ｂの開口面積との和）は、例えばファンＦの直径が４〜１０ｃｍである場合、０．１〜１００ｃｍ2であることが好ましく、０．５〜２０ｃｍ2であることが更に好ましい。例えば、直径６ｃｍ、厚さ１ｃｍのファンＦの全周に排気口を設ける場合、その排気口の開口面積を３ｃｍ2とすることができる。
【００２２】
図２（Ｂ）に示す吸気口２１の開口面積は、例えばファンＦの直径が４〜１０ｃｍである場合、５〜８０ｃｍ2であることが好ましく、１０〜４０ｃｍ2であることが更に好ましい。例えば、吸気口２１の直径を６ｃｍとし、桟によって減らされる値である開口率を６０％とし、開口面積を１７ｃｍ2とすることができる。
【００２３】
次に本実施形態の作用を説明する。図１に示したように、クリップ１９によりベルトＢを挟持することで、害虫防除装置１０を起立した使用者の身につけて、スイッチ１６をオンすると、チャンバ１１内のファンが回転され、吸気口２１から外気が気流となってチャンバ内に取り入れられる。その気流は薬剤保持体２０のネット状部材２６を通過する。そのとき、気流に害虫防除成分が含まれる。そして、害虫防除成分を含んだ気流Ａが、設置面である使用者の胴体表面に沿った方向に放出される。詳しくは、害虫防除成分を含んだ気流Ａが上部排気口１３ａ及び下部排気口１３ｂを通って、使用者の胴体表面に沿った上方向及び下方向のみに放出される。
【００２４】
以上のような構成の害虫防除装置１０によれば、害虫防除成分を含んだ気流が使用者の胴体表面に沿って放出される。これにより、使用者の身の回りに有効量の害虫防除成分を漂わせることができ、使用者の身によってくる害虫に対して有効な害虫防除効果が得られる。これによって、屋外等で使用した際にも有効な害虫防除効果が得られるようになった。また、使用者の胴体表面に沿った上方向及び下方向のみに前記気流が放出されるように上部排気口１３ａ及び下部排気口１３ｂが配置されており、これにより害虫防除効果を効率的にすることができて、薬剤保持体の使用期間を延ばせるようになった。
【００２５】
また、上部排気口１３ａが、チャンバ１１の左右方向の中心から使用者の胴体表面の側端部側にずれた位置に配置されているので、害虫防除成分を含んだ気流が使用者の顔に向かわない。したがって、快適に使用することができる。
【実施例１】
【００２６】
以下、実施例に基づいて本発明の効果を説明する。人体への蚊の飛来を想定して、図３（Ａ）（Ｂ）及び図４（Ａ）に示すように、害虫防除装置１０ａ〜１０ｃの周りにケージを複数個（１４個）配置した。各ケージには１０〜１５匹のヒトスジシマカ雌成虫を入れた。地面から害虫防除装置１０までの高さＨ２は、人体の腰の高さを想定して８０ｃｍとされ、Ｈ１は１６０ｃｍとされている。左右端のケージの間隔Ｗ１は、人体の肩幅を想定して４０ｃｍとされ、Ｗ２は２０ｃｍとされている。図３（Ａ）の害虫防除装置１０ａは、害虫防除成分を含んだ気流を上下方向のみに揮散するものである。図３（Ｂ）の害虫防除装置１０ｂは、害虫防除成分を含んだ気流を放射方向に揮散するものである。図４（Ａ）の害虫防除装置１０ｃは、害虫防除成分を含んだ気流を上方向のみに揮散するものである。図４（ｃ）は比較例であって、害虫防除装置の代わりに蚊取り線香１００を配置したものである。そして、ドアを開放するとともに換気した３０畳以上の室内（屋外とほぼ同様の条件）において揮散開始から２．５分毎に３０分間ノックダウン数を数え、ＫＴ５０値を求めた。得られたＫＴ５０値を各ケージ内に示す。また、この値から５分後にＫＴ５０値に達する範囲（ＫＴ５０線）を実線で示し、１０分後にＫＴ５０に達する範囲を破線で示した。なお、薬剤として、トランスフルスリン：１２０ｍｇ、ラウリン酸ヘキシル：３０ｍｇ、ＢＨＴ：０．６ｍｇからなる殺虫液を薬剤保持体に保持させて用いた。薬剤保持体には、外周径６０ｍｍのネット状部材を２枚重ねてなるもの（２８メッシュ）を用いた。
【００２７】
図３（Ａ）（Ｂ）及び図４（Ａ）（Ｂ）から明らかなように、害虫防除成分を含んだ気流を上下方向のみに揮散する害虫防除装置１０ａによって、人体の全域にわたる最も効率のよい害虫防除効果が得られた。
【図面の簡単な説明】
【００２８】
【図１】本発明の害虫防除装置の斜視図である。
【図２】害虫防除装置の上面図、正面図及び下面図である。
【図３】実施例の効果を示す図である。
【図４】実施例及び比較例の効果を示す図である。
【符号の説明】
【００２９】
１０ 害虫防除装置
１１ チャンバ
１３ａ 上部排気口（排気口）
１３ｂ 下部排気口（排気口）
２０ 薬剤保持体
２１ 吸気口
Ａ 害虫防除成分を含んだ気流
Ｆ ファン
【図１】
2008043340.tif 000003
【図２】
2008043340.tif 000004
【図３】
2008043340.tif 000005
【図４】
2008043340.tif 000006
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
害虫防除成分を保持した薬剤保持体と、前記薬剤保持体に気流を当てて前記害虫防除成分を含んだ気流を発生させるファンとがチャンバ内に収納され、前記チャンバには、チャンバ内に外気を取り入れる吸気口と、前記害虫防除成分を含んだ気流をチャンバ外に放出する排気口とが設けられた害虫防除装置において、
前記薬剤保持体は、枠体と、前記枠体の中央に配置された板状の中央部と、前記中央部から前記枠体に延びる桟と、前記枠体と前記中央部と前記桟とにより区画される開口部に架け渡されたネット状部材とを有して、前記中央部の片方の平面部に前記害虫防除成分が滴下されることにより前記害虫防除成分が前記ネット状部材に含浸され得、且つ
前記害虫防除装置が設置される設置面に沿って前記害虫防除成分を含んだ気流が放出されるように、前記排気口が配置されている
ことを特徴とする害虫防除装置。
【請求項２】
前記設置面が地面に対して略垂直である際に、前記設置面に沿った上方向及び下方向のみに前記害虫防除成分を含んだ気流が放出されるように、前記排気口が配置されている
ことを特徴とする請求項１に記載の害虫防除装置。
【請求項３】
前記チャンバは、周壁に、本体上面をなす円弧部分と、本体の一対の側面をなす第１の直線部分と、本体下面を為す第２の直線部分と、を有し、
前記薬剤保持体は、略円板形状に形成され、
前記吸気口は、円形状に形成されると共に、前記チャンバの本体前面で且つ前記チャンバの前記円弧部分側に沿うように設けられ、
前記薬剤保持体と前記ファンとは、前記吸気口の背面側で互いに前記チャンバの前後方向で重なり、且つ前記チャンバの前記円弧部分側に沿うように前記チャンバ内に収納され、そして
前記排気口は、前記チャンバの前記円弧部分及び前記第２の直線部分それぞれに、設けられる
ことを特徴とする請求項２に記載の害虫防除装置。
【請求項４】
当該害虫防除装置を前記設置面に保持するための保持手段を備えた
ことを特徴とする請求項１〜３のいずれか１つに記載の害虫防除装置。
【請求項５】
前記チャンバには前記薬剤保持体を挿脱するための挿入開口がさらに設けられ、且つ
前記薬剤保持体の一端部に前記挿脱のための突起部が設けられることにより、
前記薬剤保持体は、前記挿入開口を介して前記チャンバ内に挿脱自在に支持される
ことを特徴とする請求項１〜４のいずれか１つに記載の害虫防除装置。
【手続補正２】
【補正対象書類名】明細書
【補正対象項目名】０００６
【補正方法】変更
【補正の内容】
【０００６】
本発明の前述した目的は下記の構成により達成される。
（１）  害虫防除成分を保持した薬剤保持体と、前記薬剤保持体に気流を当てて前記害虫防除成分を含んだ気流を発生させるファンとがチャンバ内に収納され、前記チャンバには、チャンバ内に外気を取り入れる吸気口と、前記害虫防除成分を含んだ気流をチャンバ外に放出する排気口とが設けられた害虫防除装置において、
前記薬剤保持体は、枠体と、前記枠体の中央に配置された板状の中央部と、前記中央部から前記枠体に延びる桟と、前記枠体と前記中央部と前記桟とにより区画される開口部に架け渡されたネット状部材とを有して、前記中央部の片方の平面部に前記害虫防除成分が滴下されることにより前記害虫防除成分が前記ネット状部材に含浸され得、且つ
前記害虫防除装置が設置される設置面に沿って前記害虫防除成分を含んだ気流が放出されるように、前記排気口が配置されている
ことを特徴とする害虫防除装置。
（２）  前記設置面が地面に対して略垂直である際に、前記設置面に沿った上方向及び下方向のみに前記害虫防除成分を含んだ気流が放出されるように、前記排気口が配置されている
ことを特徴とする上記（１）の害虫防除装置。
（３）  前記チャンバは、周壁に、本体上面をなす円弧部分と、本体の一対の側面をなす第１の直線部分と、本体下面を為す第２の直線部分と、を有し、
前記薬剤保持体は、略円板形状に形成され、
前記吸気口は、円形状に形成されると共に、前記チャンバの本体前面で且つ前記チャンバの前記円弧部分側に沿うように設けられ、
前記薬剤保持体と前記ファンとは、前記吸気口の背面側で互いに前記チャンバの前後方向で重なり、且つ前記チャンバの前記円弧部分側に沿うように前記チャンバ内に収納され、そして
前記排気口は、前記チャンバの前記円弧部分及び前記第２の直線部分それぞれに、設けられる
ことを特徴とする上記（２）の害虫防除装置。
（４）  当該害虫防除装置を前記設置面に保持するための保持手段を備えた
ことを特徴とする上記（１）〜（３）のいずれか１つの害虫防除装置。
（５）  前記チャンバには前記薬剤保持体を挿脱するための挿入開口がさらに設けられ、且つ
前記薬剤保持体の一端部に前記挿脱のための突起部が設けられることにより、
前記薬剤保持体は、前記挿入開口を介して前記チャンバ内に挿脱自在に支持される
ことを特徴とする上記（１）〜（４）のいずれか１つの害虫防除装置。
【手続補正３】
【補正対象書類名】明細書
【補正対象項目名】０００７
【補正方法】変更
【補正の内容】
【０００７】
以上のような構成の害虫防除装置は、使用者が身につけた場合、例えば設置面が使用者の胴体表面である場合、害虫防除成分を含んだ気流を使用者の胴体表面に沿って放出する。これにより、使用者の身の回りに有効量の害虫防除成分が漂うことになる。したがって、使用者によってくる害虫に対して有効な害虫防除効果が得られ、屋外等で使用した際にもこの害虫防除効果は維持される。なお、害虫防除効果とは、殺虫、忌避等の作用効果を意味し、使用者を害虫の被害から守る効果をいう。
加えて、従来のネット部材では薬剤を保持させる場合に直接滴下すると薬剤がネット状部材を通過して垂れてしまうという問題があったが、前述のような構成によれば、薬剤含浸体は、枠体と、前記枠体の中央に配置された板状の中央部と、前記中央部から前記枠体に延びる桟と、前記枠体と前記中央部と前記桟とにより区画される開口部に架け渡されたネット状部材とを有して、前記中央部の片方の平面部に前記害虫防除成分が滴下されることにより前記害虫防除成分が前記ネット状部材に含浸され得るので、ネット状部材に効率よく薬剤を含浸させることができる。
【手続補正４】
【補正対象書類名】明細書
【補正対象項目名】００２６
【補正方法】変更
【補正の内容】
【００２６】
以下、実施例に基づいて本発明の効果を説明する。人体への蚊の飛来を想定して、図３（Ａ）（Ｂ）及び図４（Ａ）に示すように、害虫防除装置１０ａ〜１０ｃの周りにケージを複数個（１４個）配置した。各ケージには１０〜１５匹のヒトスジシマカ雌成虫を入れた。地面から害虫防除装置１０までの高さＨ２は、人体の腰の高さを想定して８０ｃｍとされ、Ｈ１は１６０ｃｍとされている。左右端のケージの間隔Ｗ１は、人体の肩幅を想定して４０ｃｍとされ、Ｗ２は２０ｃｍとされている。図３（Ａ）の害虫防除装置１０ａは、害虫防除成分を含んだ気流を上下方向のみに揮散するものである。図３（Ｂ）の害虫防
除装置１０ｂは、害虫防除成分を含んだ気流を放射方向に揮散するものである。図４（Ａ）の害虫防除装置１０ｃは、害虫防除成分を含んだ気流を上方向のみに揮散するものである。図４（Ｂ）は比較例であって、害虫防除装置の代わりに蚊取り線香１００を配置したものである。そして、ドアを開放するとともに換気した３０畳以上の室内（屋外とほぼ同様の条件）において揮散開始から２．５分毎に３０分間ノックダウン数を数え、ＫＴ５０値を求めた。得られたＫＴ５０値を各ケージ内に示す。また、この値から５分後にＫＴ５０値に達する範囲（ＫＴ５０線）を実線で示し、１０分後にＫＴ５０に達する範囲を破線で示した。なお、薬剤として、トランスフルスリン：１２０ｍｇ、ラウリン酸ヘキシル：３０ｍｇ、ＢＨＴ：０．６ｍｇからなる殺虫液を薬剤保持体に保持させて用いた。薬剤保持体には、外周径６０ｍｍのネット状部材を２枚重ねてなるもの（２８メッシュ）を用いた。